(57)【特許請求の範囲】
【請求項１】
無線電話機の充電用端子が当接する給電用接片を有し且つ無線電話機を装着可能な卓上ホルダを備えてなる無線電話機用充電装置において、
無線電話機の卓上載置時に安定的姿勢を保持すべく当該無線電話機の背面に形成された凸状部が嵌入する凹部を、卓上ホルダの無線電話機装着面に形成すると共に、前記凹部内に、前記凸状部の嵌入時に給電用接片への通電をＯＮにし且つ前記凸状部の非嵌入時に給電用接片への通電をＯＦＦにするスイッチを前記凹部から外部に突出しないよう設けたことを特徴とする無線電話機用充電装置。
【発明の詳細な説明】
【０００１】
【発明の属する技術分野】
本発明は、無線電話機用充電装置に関するものである。
【０００２】
【従来の技術】
一般に、携帯電話やＰＨＳ等の移動通信体、或いは有線方式の電話機に付属するコードレス子機のような無線電話機は、送受信に必要な電力を得るための電池が内蔵されており、充電装置により定期的に充電を行う必要がある。
【０００３】
斯かる無線電話機用の充電装置としては、従来、例えば、特開２００１−５７７４１号公報に記載されたようなものが存在し、これは、図７に示される如く、無線電話機としての携帯電話１の充電用端子（図示せず）が当接する給電用接片２を有し且つ携帯電話１を装着可能な卓上ホルダ３と、給電用コンセントに接続されるＡＣ金属端子４を有し且つ交流電流を所定電圧値の直流電流に変換するＡＣアダプタ５と、該ＡＣアダプタ５に対しアダプタコード６を介して接続され且つ卓上ホルダ３の充電用端子に接続可能な接続プラグ７とを備えており、携帯電話１の充電を行う際には、アダプタコード６の接続プラグ７を卓上ホルダ３に接続し且つＡＣアダプタ５のＡＣ金属端子４を給電用コンセントに接続した状態で、卓上ホルダ３に携帯電話１を装着するようになっている。
【０００４】
【発明が解決しようとする課題】
しかしながら、前述の如き従来の無線電話機用充電装置では、アダプタコード６の接続プラグ７が卓上ホルダ３に接続され且つＡＣアダプタ５のＡＣ金属端子４が給電用コンセントに接続されている場合、卓上ホルダ３に携帯電話１を装着していない状態であっても、卓上ホルダ３の給電用接片２には通電が行われているため、剥き出しの給電用接片２に誤って金属片や人体の肌等が触れると、ショートが発生したり火傷をしたりする虞があった。
【０００５】
本発明は、斯かる実情に鑑み、卓上ホルダに無線電話機を装着していない状態では、給電用接片への通電を遮断し得、該給電用接片に対する金属片や人体の肌等の接触によるショートや火傷の発生を防止し得る無線電話機用充電装置を提供しようとするものである。
【０００６】
【課題を解決するための手段】
本発明は、無線電話機の充電用端子が当接する給電用接片を有し且つ無線電話機を装着可能な卓上ホルダを備えてなる無線電話機用充電装置において、
無線電話機の卓上載置時に安定的姿勢を保持すべく当該無線電話機の背面に形成された凸状部が嵌入する凹部を、卓上ホルダの無線電話機装着面に形成すると共に、前記凹部内に、前記凸状部の嵌入時に給電用接片への通電をＯＮにし且つ前記凸状部の非嵌入時に給電用接片への通電をＯＦＦにするスイッチを前記凹部から外部に突出しないよう設けたことを特徴とする無線電話機用充電装置にかかるものである。
【０００７】
上記手段によれば、以下のような作用が得られる。
【０００８】
卓上ホルダに無線電話機を装着すると、無線電話機の背面に形成された凸状部が、卓上ホルダの無線電話機装着面に形成された凹部に嵌入し、スイッチがＯＮとなって給電用接片への通電が行われ、無線電話機への充電が可能となる一方、卓上ホルダに無線電話機を装着していない状態では、スイッチがＯＦＦとなって給電用接片への通電が行われなくなり、しかも、スイッチは凹部内に設けられており、卓上ホルダに無線電話機を装着しない限りはスイッチがＯＮになることはないため、剥き出しの給電用接片に誤って金属片や人体の肌等が触れたとしても、ショートが発生したり火傷をしたりする心配はなくなる。又、スイッチは凹部内に設けられているため、卓上ホルダの無線電話機装着面に出っ張り部はなく、違和感のないデザインとなり、小型化も図れる。更に又、スイッチは、凸状部で押されてＯＮ、開放されてＯＦＦとなるシンプルなもので済み、構造が簡単でコストも安く、且つ信頼性も高いものとなる。しかも、前記凸状部は、無線電話機の卓上載置時に安定的姿勢を保持すべく当該無線電話機の背面に形成されたものであるため、無線電話機の背面に、充電専用の凸状部を特別に設けなくて済む。
【０００９】
【００１０】
【００１１】
【発明の実施の形態】
以下、本発明の実施の形態を図示例と共に説明する。
【００１２】
図１〜図４は本発明を実施する形態の一例であって、図中、図７と同一の符号を付した部分は同一物を表わしており、基本的な構成は図７に示す従来のものと同様であるが、本図示例の特徴とするところは、図１〜図４に示す如く、無線電話機としての携帯電話１の背面に形成された凸状部としてのストラップ取付部８が嵌入する凹部９を、卓上ホルダ３の携帯電話装着面１０に形成すると共に、該凹部９内に、前記ストラップ取付部８の嵌入時に給電用接片２への通電をＯＮにし且つ前記ストラップ取付部８の非嵌入時に給電用接片２への通電をＯＦＦにするスイッチ１１を設けた点にある。
【００１３】
本図示例の場合、前記卓上ホルダ３は、図１及び図２に示す如く、下側ケース１２と上側ケース１３とを一体に組み付けてなり、その内部には、携帯電話１の充電用端子１４が当接する給電用接片２が一体化された基板１５が設けられ、該基板１５上に前記スイッチ１１を取り付けてある。
【００１４】
前記スイッチ１１は、前記基板１５上に取り付けられたスイッチ本体１１ａと、該スイッチ本体１１ａから所要量だけ突出するスイッチ頭部１１ｂとを備えており、該スイッチ頭部１１ｂは、前記卓上ホルダ３の携帯電話装着面１０に形成された凹部９内に収まり、該凹部９から外部へ突出しないようにしてある。
【００１５】
尚、前記卓上ホルダ３内には、スプリング１６の付勢力により上側ケース１３の小孔１７から先端部が所要量だけ突出するようピン１８を中心に枢支された係合爪１９を配設してあり、携帯電話１の充電時には、図２に示す如く、係合爪１９を携帯電話１の係合溝２３に係合させ、卓上ホルダ３に対して携帯電話１を固定するようにしてある。
【００１６】
一方、前記ストラップ取付部８は、図３及び図４に示す如く、携帯電話１の背面における幅方向一端側に突出形成されたアンテナ２０の収納部２１に対応させて、携帯電話１の卓上載置時に安定的姿勢を保持すべく、携帯電話１の背面における幅方向他端側に突出形成されたものである。
【００１７】
次に、上記図示例の作動を説明する。
【００１８】
卓上ホルダ３に携帯電話１を装着すると、携帯電話１の背面に形成された凸状部としてのストラップ取付部８が、卓上ホルダ３の携帯電話装着面１０に形成された凹部９に嵌入し、スイッチ１１がＯＮとなって給電用接片２への通電が行われ、携帯電話１への充電が可能となる一方、卓上ホルダ３に携帯電話１を装着していない状態では、スイッチ１１がＯＦＦとなって給電用接片２への通電が行われなくなり、しかも、スイッチ１１は凹部９内に設けられており、卓上ホルダ３に携帯電話１を装着しない限りはスイッチ１１がＯＮになることはないため、剥き出しの給電用接片２に誤って金属片や人体の肌等が触れたとしても、ショートが発生したり火傷をしたりする心配はなくなる。又、スイッチ１１は凹部９内に設けられているため、卓上ホルダ３の携帯電話装着面１０に出っ張り部はなく、違和感のないデザインとなり、小型化も図れる。更に又、スイッチ１１は、凸状部としてのストラップ取付部８で押されてＯＮ、開放されてＯＦＦとなるシンプルなもので済み、構造が簡単でコストも安く、且つ信頼性も高いものとなる。
【００１９】
又、本図示例の場合、凸状部を、携帯電話１の卓上載置時に安定的姿勢を保持すべくその背面に形成されたストラップ取付部８で兼用するようにしてあるため、携帯電話１の背面に、充電専用の凸状部を特別に設けなくて済む。
【００２０】
こうして、卓上ホルダ３に携帯電話１を装着していない状態では、給電用接片２への通電を遮断し得、該給電用接片２に対する金属片や人体の肌等の接触によるショートや火傷の発生を防止し得る一方、卓上ホルダ３のデザインを阻害せず小型化も図ることができ、更に、構造の複雑化を避けてコストも安くでき且つ信頼性も高めることができ、又、携帯電話１の背面に、充電専用の凸状部を特別に設ける必要もない。
【００２１】
図５及び図６は本発明を実施する形態の他の例であって、図中、図１〜図４と同一の符号を付した部分は同一物を表わしており、携帯電話１の背面における幅方向略中央部に、卓上載置時に安定的姿勢を保持するための凸状部２２が形成されている場合に、該凸状部２２が嵌入する凹部９を、卓上ホルダ３の携帯電話装着面１０の対応する位置に形成すると共に、該凹部９内に、前記凸状部２２の嵌入時に給電用接片２への通電をＯＮにし且つ前記凸状部２２の非嵌入時に給電用接片２への通電をＯＦＦにするスイッチ１１を設けるようにしたものである。
【００２２】
尚、この例におけるストラップ取付部８’は、単なる孔となっている。
【００２３】
図５及び図６に示す例においては、卓上ホルダ３に携帯電話１を装着すると、携帯電話１の背面に形成された凸状部２２が、卓上ホルダ３の携帯電話装着面１０に形成された凹部９に嵌入し、スイッチ１１がＯＮとなって給電用接片２への通電が行われ、携帯電話１への充電が可能となる一方、卓上ホルダ３に携帯電話１を装着していない状態では、スイッチ１１がＯＦＦとなって給電用接片２への通電が行われなくなり、しかも、スイッチ１１は凹部９内に設けられており、卓上ホルダ３に携帯電話１を装着しない限りはスイッチ１１がＯＮになることはないため、剥き出しの給電用接片２に誤って金属片や人体の肌等が触れたとしても、ショートが発生したり火傷をしたりする心配はなくなり、又、スイッチ１１は凹部９内に設けられているため、卓上ホルダ３の携帯電話装着面１０に出っ張り部はなく、違和感のないデザインとなり、小型化も図れ、更に又、スイッチ１１は、凸状部２２で押されてＯＮ、開放されてＯＦＦとなるシンプルなもので済み、構造が簡単でコストも安く、且つ信頼性も高いものとなる。
【００２４】
又、図５及び図６に示す例においては、凸状部２２を、無線電話機の卓上載置時に安定的姿勢を保持すべくその背面に形成されたもので兼用するようにしてあるため、携帯電話１の背面に、充電専用の凸状部２２を特別に設けなくて済む。
【００２５】
こうして、図５及び図６に示す例の場合も、図１〜図４に示す例の場合と同様、卓上ホルダ３に携帯電話１を装着していない状態では、給電用接片２への通電を遮断し得、該給電用接片２に対する金属片や人体の肌等の接触によるショートや火傷の発生を防止し得る一方、卓上ホルダ３のデザインを阻害せず小型化も図ることができ、更に、構造の複雑化を避けてコストも安くでき且つ信頼性も高めることができ、又、携帯電話１の背面に、充電専用の凸状部２２を特別に設ける必要もない。
【００２６】
尚、本発明の無線電話機用充電装置は、上述の図示例にのみ限定されるものではなく、本発明の要旨を逸脱しない範囲内において種々変更を加え得ることは勿論である。
【００２７】
【発明の効果】
以上、説明したように本発明の請求項１記載の無線電話機用充電装置によれば、無線電話機の背面に、充電専用の凸状部を特別に設けることなく給電用接片への通電をＯＮ・ＯＦＦでき、卓上ホルダに無線電話機を装着していない状態では、給電用接片への通電を遮断し得、該給電用接片に対する金属片や人体の肌等の接触によるショートや火傷の発生を防止し得る一方、卓上ホルダのデザインを阻害せず小型化も図ることができ、更に、構造の複雑化を避けてコストも安くでき且つ信頼性も高めることができるという優れた効果を奏し得る。
【図面の簡単な説明】
【図１】  本発明を実施する形態の一例の斜視図である。
【図２】  本発明を実施する形態の一例の側断面図である。
【図３】  本発明を実施する形態の一例における無線電話機（携帯電話）の背面に形成された凸状部（ストラップ取付部）を示す斜視図である。
【図４】  本発明を実施する形態の一例における無線電話機（携帯電話）を凸状部（ストラップ取付部）を用いて安定的姿勢を保持しつつ卓上載置した状態を示す図である。
【図５】  本発明を実施する形態の他の例の斜視図である。
【図６】  本発明を実施する形態の他の例における無線電話機（携帯電話）の背面に形成された凸状部を示す斜視図である。
【図７】  従来例の斜視図である。
【符号の説明】
１      携帯電話（無線電話機）
２      給電用接片
３      卓上ホルダ
８      ストラップ取付部（凸状部）
９      凹部
１０      携帯電話装着面（無線電話機装着面）
１１      スイッチ
１４      充電用端子
２２      凸状部
【図１】
0003790987.tif 000002
【図２】
0003790987.tif 000003
【図３】
0003790987.tif 000004
【図４】
0003790987.tif 000005
【図５】
0003790987.tif 000006
【図６】
0003790987.tif 000007
【図７】
0003790987.tif 000008